(57)【要約】【課題】この発明が解決しようとする課題は、真空冷却装置の熱交換器における冷却水の使用量を削減することである。。【解決手段】被冷却物３を収容する冷却槽４へ熱交換器６を介して減圧手段７を接続した真空冷却装置１の制御方法であって、熱交換器６の熱交換能力または冷却負荷量を判定して、熱交換器６用の冷却水の排水を制御することを特徴としている。また、被冷却物３を収容する冷却槽４へ熱交換器６を介して減圧手段７を接続した真空冷却装置１の制御方法であって、被冷却物３の品温度と、熱交換器６用の冷却水の出口温度または熱交換器６の凝縮水の出口温度とに基づいて、冷却水の排水を制御することを特徴としている。【選択図】    図１
2004170060.tif 000002
【特許請求の範囲】
【請求項１】
被冷却物３を収容する冷却槽４へ熱交換器６を介して減圧手段７を接続した真空冷却装置１の制御方法であって、前記熱交換器６の熱交換能力または冷却負荷量を判定して、前記熱交換器６用の冷却水の排水を制御することを特徴とする真空冷却装置の制御方法。
【請求項２】
被冷却物３を収容する冷却槽４へ熱交換器６を介して減圧手段７を接続した真空冷却装置１の制御方法であって、前記被冷却物３の品温度と、前記熱交換器６用の冷却水の出口温度または前記熱交換器６の凝縮水の出口温度とに基づいて、前記冷却水の排水を制御することを特徴とする真空冷却装置の制御方法。
【請求項３】
前記品温度と、前記いずれかの出口温度との温度差が所定の温度差より小さいとき、前記冷却水の排水量を増加するように制御することを特徴とする請求項２に記載の真空冷却装置の制御方法。
【請求項４】
被冷却物３を収容する冷却槽４へ熱交換器６を介して減圧手段７を接続し、前記被冷却物３の品温度を検出する品温度検出手段９と、前記熱交換器６用の冷却水の出口温度または前記熱交換器６の凝縮水の出口温度を検出する出口温度検出手段１２と、前記冷却水の排水を制御する排水制御手段１３とを備えたことを特徴とする真空冷却装置。  
【発明の詳細な説明】
【技術分野】
【０００１】
この発明は、被冷却物の水分を減圧下で蒸発させ、その際の気化潜熱を利用して冷却する真空冷却装置の制御方法および真空冷却装置に関する。
【背景技術】
【０００２】
周知のように、真空冷却装置は、被冷却物を収容した冷却槽を真空吸引し、減圧することによって、飽和蒸気温度を低下させ、前記被冷却物内の水分を蒸発させることにより、その際の気化潜熱を利用して前記被冷却物を冷却するものである。この真空冷却装置は、たとえば食品業界において、加熱調理された食品を冷却する工程で使用されている。
【０００３】
前記真空冷却装置は、前記冷却槽内の減圧（真空吸引）を行なうための種々の装置が提案され、実用に供されてきた。たとえば、熱交換器により水蒸気の大部分を凝縮させ、さらに真空ポンプにより減圧作動を行い空気と水蒸気を吸引するものがある。この場合、前記熱交換器で水蒸気を凝縮させるための冷却水が多量に必要であった（たとえば、特許文献１参照。）。
【０００４】
【特許文献１】特許番号第２９３２９０５号公報
【発明の開示】
【発明が解決しようとする課題】
【０００５】
この発明が解決しようとする課題は、真空冷却装置の熱交換器における冷却水の使用量を削減することである。  
【課題を解決するための手段】
【０００６】
この発明は、前記課題を解決するためになされたものであって、請求項１に記載の発明は、被冷却物を収容する冷却槽へ熱交換器を介して減圧手段７を接続した真空冷却装置の制御方法であって、前記熱交換器の熱交換能力または冷却負荷量を判定して、前記熱交換器用の冷却水の排水を制御することを特徴ととしている。
【０００７】
請求項２に記載の発明は、被冷却物を収容する冷却槽へ熱交換器を介して減圧手段を接続した真空冷却装置の制御方法であって、前記被冷却物の品温度と、前記熱交換器用の冷却水の出口温度または前記熱交換器の凝縮水の出口温度とに基づいて、前記冷却水の排水を制御することを特徴としている。
【０００８】
請求項３に記載の発明は、請求項２において、前記品温度と、前記いずれかの出口温度との温度差が所定の温度差より小さいとき、前記冷却水の排水量を増加するように制御することを特徴としている。
【０００９】
さらに、請求項４に記載の発明は、被冷却物を収容する冷却槽へ熱交換器を介して減圧手段を接続し、前記被冷却物の品温度を検出する品温度検出手段と、前記熱交換器用の冷却水の出口温度または前記熱交換器の凝縮水の出口温度を検出する出口温度検出手段と、前記冷却水の排水を制御する排水制御手段とを備えたことを特徴としている。
【発明の効果】
【００１０】
以上のように、この発明によれば、温度の高い冷却水だけを排水するので、真空冷却装置の熱交換器における冷却水の使用量を削減することができる。
【発明を実施するための最良の形態】
【００１１】
（実施の形態１）
この発明の実施の形態について説明する。この実施の形態は、食品等（以下、「被冷却物」と云う）を冷却するとき、減圧手段を用いて冷却を行う真空冷却処理において実施する。まず、この発明の実施に適用される真空冷却装置について説明する。
【００１２】
前記真空冷却装置は、前記被冷却物を収容する冷却槽と、この冷却槽の吸引路に接続された熱交換器と、この熱交換器の下流側に接続された減圧手段と、前記熱交換器用の冷却水の供給手段と、前記被冷却物の品温度を検出する品温度検出手段と、前記熱交換器用の冷却水の出口温度を検出する出口温度検出手段と、前記冷却水の排水を制御する排水制御手段と、前記真空冷却装置の運転を制御する制御器とにより構成されている。
【００１３】
前記熱交換器は、前記冷却槽からの吸引流体中の水蒸気を凝縮させるものである。前記熱交換器は、熱交換手段，たとえばコイルを備えている。前記吸引流体の飽和蒸気温度は、前記コイル内を流れる冷却水よりも高いから、水蒸気は前記コイルの表面に凝縮するので、前記吸引流体中の水蒸気の分圧が減少し、その分、空気の分圧が増加する。すなわち、前記熱交換器は、前記吸引流体中における空気が占める割合を増加させる。
【００１４】
前記減圧手段は、たとえば容積型真空ポンプ，液封式真空ポンプ，エジェクタ等であり、前記熱交換器により空気が主要部分を占めるようになった前記吸引流体を前記減圧手段で吸引し排気する。すなわち、前記減圧手段は、減圧作動を行うように構成されている。
【００１５】
前記供給手段は、前記熱交換器へ冷却水を供給するためのものであり、前記熱機器内へ冷却水を満たす。前記供給手段は、水道や地下水等の常温水の供給元へ接続されている。また、前記供給手段は、水を貯留するタンクと、このタンク内の水を冷却するチラーと、前記コイルを経由して再度このタンクへ戻す，すなわち循環させるポンプと循環経路とを備えている。
【００１６】
前記品温度検出手段は、前記被冷却物の品温度を検出するものである。ここにおいて、前記品温度とは、前記被冷却物の品温度を直接検出したものに限定されず、前記冷却槽内の圧力値を品温度に換算したものを含む。
【００１７】
すなわち、前記品温度検出手段は、温度検出部を前記被冷却物内へ差し込んで品温度を直接検出できるように構成し、その検出温度を前記制御器へ出力する。また、前記品温度検出手段の別の形態として、上記のように温度検出部を前記被冷却物内へ直接差し込んで品温度を検出するのではなく、前記冷却槽内の圧力を圧力センサにより検出し、この圧力値を温度に換算し、この換算した温度を前記制御器へ出力するものとすることも好適である。この別の形態によれば、前記被冷却物へ前記温度検出部を直接差し込む作業を省略することができる。
【００１８】
前記出口温度検出手段は、前記熱交換器用の冷却水の出口温度を前記制御器へ出力するように構成されている。
【００１９】
前記排水制御手段は、前記供給手段により前記熱交換器に満たされ温度の上昇した冷却水を排水するものである。前記排水制御手段は、前記出口温度検出手段の下流側に設けられており、たとえば３方弁，複数の電磁弁等により流路を切替えることにより、冷却水を排水ラインへ排出する、または前記タンクへ戻すことができるように構成されている。
【００２０】
ここにおいて、前記排水制御手段は、冷却水の流路の切替えでなく、前記タンクと前記排水ラインへの流量の割合をそれぞれ調節する構成とすることも好適である。
【００２１】
前記制御器は、前記品温度と、前記出口温度とに基づいて、前記熱交換器の熱交換能力または冷却負荷量を判定し、前記冷却水の排水量を制御する，すなわち前記排水ラインへ流す流量を調節する信号を出力する制御部を内蔵している。前記熱交換器の熱交換能力は、前記品温度と前記出口温度との差により検出することができるが、前記熱交換器の出口温度のみで検出するように構成することができる。前記熱交換能力は、冷却能力と称することもできる。前記熱交換器の冷却負荷量は、食材の熱量で表現され、前記熱交換器の凝縮水の出口温度を検出することで冷却負荷量の変化を検出できる。前記食材の熱量は、重量と温度と比熱との積によって検出可能である。
【００２２】
このような構成の前記真空冷却装置の作用について説明する。まず、前記被冷却物を前記冷却槽内に収容し、前記減圧手段を作動させ、前記冷却槽内を減圧し、前記被冷却物を冷却する。このとき、前記熱交換器により、前記吸引流体中の水蒸気を凝縮させ、前記吸引流体中における空気が占める割合を増加させ、前記減圧手段が空気を効率よく吸引できるようにする。そして、前記被冷却物の温度が低下すると、前記冷却槽内を復圧して冷却処理を終了する。
【００２３】
つぎに、前記真空冷却装置の制御方法について説明する。前記被冷却物を前記冷却槽内に収容し運転を開始する。前記真空冷却装置の運転開始直後においては、前記冷却槽内の圧力は大気圧に近いので、減圧することも容易であり、前記熱交換器の作動時における熱交換能力は小さくてよい。
【００２４】
したがって、冷却水の温度は常温でよいので、前記制御器は、まず常温水を前記熱交換器へ供給するが排水しないように制御する。この常温水が供給された状態において常温水は、流動を停止した状態としてもよいし、循環により流動させてもよい。この場合、冷却水の温度は、前記熱交換器により熱交換されて少しずつ上昇する。そして、冷却処理工程が進み、冷却水の温度が上昇した状態で、前記熱交換器の熱交換能力が低下し、必要とする冷却が発揮できなくなる温度となると、前記制御器は、前記排水制御手段を作動させて温度の高い冷却水を排出して、温度の低い常温水を前記熱交換器へ補給し、前記熱交換器内の冷却水の温度を下げるように制御する。その後、前記制御器は、前記品温度と前記熱交換器用の冷却水の出口温度とに基づいて冷却水の排水を制御し、前記熱交換器内の冷却水の温度を所定の温度範囲内に維持する。
【００２５】
前記制御器による排水制御は、好ましくは、前記品温度と、前記出口温度との温度差が所定の温度差より小さいとき、前記冷却水の排水量を増加するものとする。また、前記制御器による排水制御は、前記温度差が所定の温度差より大きいとき、前記冷却水の排水量を減少するように、あるいは前記冷却水を全く排水しないように制御を加えることも好適である。
【００２６】
さらに、前記制御器の制御に、減圧度を高める，すなわち冷却温度をさらに低くするために、前記冷却水の温度をさらに低くする手段を加えることが有効である。具体的に説明すると、前記熱交換器の作動時における熱交換能力を大きくする。すなわち、前記真空冷却装置の運転状況に応じて、前記熱交換器へ供給する冷却水を常温水から冷水へ切替えるものである。冷水は、前記タンク内の水を前記チラーにより温度を低下させておき、必要なとき循環させる。
【００２７】
以上のように、この実施の形態によれば、温度の高い冷却水だけを排水するので、前記真空冷却装置の前記熱交換器における冷却水の使用量を削減することができる。
【００２８】
この発明は、つぎの実施の形態２〜４を含む。
【００２９】
（実施の形態２）
前記実施の形態２は、被冷却物を収容する冷却槽へ熱交換器を介して減圧手段を接続した真空冷却装置の制御方法であって、前記被冷却物の品温度と、前記熱交換器の凝縮水の出口温度とに基づいて、前記冷却水の排水を制御するる真空冷却装置の制御方法を特徴とする。
【００３０】
（実施の形態３）
前記実施の形態３は、前記実施の形態２において、前記品温度と、前記出口温度との温度差が所定の温度差より小さいとき、前記冷却水の排水量を増加するように制御する真空冷却装置の制御方法を特徴とする。
【００３１】
（実施の形態４）
前記実施の形態４は、被冷却物を収容する冷却槽へ熱交換器を介して減圧手段を接続し、前記被冷却物の品温度を検出する品温度検出手段と、前記熱交換器の出口温度を検出する出口温度検出手段と、前記冷却水の排水を制御する排水制御手段とを備えたこと真空冷却装置を特徴とする。  
【００３２】
前記実施の形態２〜４は、前記実施の形態１において、前記熱交換器の冷却水の出口温度に代えて、前記熱交換器の凝縮水の出口温度に基づき、前記実施の形態１と同様な節水制御を行うものである。前記熱交換器の出口に出口温度検出手段を設ける以外は、前記実施の形態１と構成および動作は同様であるので、説明を省略する。これら実施の形態２〜４は、実施の形態１と比較して、前記熱交換器による熱交換能力の低下または冷却負荷量の増大をより適切に検出できる。前記熱交換器の凝縮水の出口温度は、直接凝縮水温度を検出するか、前記熱交換器の出口または出口配管の温度を検出して間接的の凝縮水温度を検出する。
【実施例１】
【００３３】
以下、この発明の具体的実施例を図面に基づいて詳細に説明する。この実施例は、食品等（以下、「被冷却物」と云う。）を冷却するとき、減圧手段を用いて冷却を行う真空冷却処理において実施する。まず、この発明の実施に適用される真空冷却装置について説明する。図１は、前記真空冷却装置を説明する概略的な説明図である。
【００３４】
図１において、真空冷却装置１は、３段の棚２，２，２に載置された多数の被冷却物３，３，…を収容する冷却槽４と、この冷却槽４の吸引路５に接続された熱交換器６と、この熱交換器６の下流側に接続された真空ポンプ７と、前記熱交換器６用の冷却水供給手段８と、前記被冷却物３の品温度を検出する品温度センサ９と、前記熱交換器６内のコイル１０を通過する冷却水の出口１１付近の温度を検出する出口温度センサ１２と、前記冷却水の排水を制御する排水制御手段１３と、前記真空冷却装置１の運転を制御する制御器１４とにより構成されている。
【００３５】
前記冷却槽４は、前記各被冷却物３を収容する大きさに形成されており、前記冷却槽４を密閉する扉（図示省略）と、前記冷却槽４内を大気圧まで復圧する復圧ライン１５と、前記冷却槽４内の圧力を検出する圧力センサ１６と、前記吸引路５とを備えている。前記復圧ライン１５には、空気を清浄にするフィルター１７と空気導入制御弁１８とが設けられている。
【００３６】
前記熱交換器６は、前記冷却槽４からの吸引流体中の水蒸気を凝縮させるものである。前記吸引流体の飽和蒸気温度は、前記コイル１０内を流れる冷却水よりも高いから、水蒸気は前記コイル１０の表面に凝縮するので、前記吸引流体中の水蒸気の分圧が減少し、そ
の分、空気の分圧が増加する。すなわち、前記熱交換器６は、前記吸引流体中における空気が占める割合を増加させる。前記熱交換器６は、前記吸引流体を熱交換した後に排出する排出路１９を備えている。
【００３７】
前記真空ポンプ７は、前記排出路１９を介して前記熱交換器６と接続されている。前記排出路１９には、排出方向への流れを許容する第一逆止弁２０が設けられている。前記真空ポンプ７は、水封式の真空ポンプであり、封水を供給する封水ライン２１と、封水と前記吸引流体との混合流体を排出する真空ポンプ排出ライン２２を備えている。
前記封水ライン２１には、封水制御弁２３が設けられている。
【００３８】
前記冷却水供給手段８は、前記熱交換器６へ冷却水を供給するため、水道や地下水等の常温水を供給する常温水供給ライン２４と、チラー２５からの冷水ライン２６との２系統の供給ラインで構成され、それぞれ切替えることができるようにしている。
【００３９】
前記常温水供給ライン２４には、常温水制御弁２７と、この常温水制御弁２７の下流側に配置した給水方向への流れを許容する第二逆止弁２８とが設けられている。この第二逆止弁２８の下流側で、前記常温水供給ライン２４は、前記封水制御弁２３と接続されている。また、前記常温水供給ライン２４は、前記第二逆止弁２８の下流側で、前記コイル１０の入口（符号省略）と接続されている。そして、前記出口１１は、第一配管２９と接続されている。
【００４０】
ここで、前記排水制御手段１３について説明する。この排水制御手段１３は、第一三方弁３０と排水ライン３１に設けた排水制御弁３２とにより構成されている。
【００４１】
そして、前記第一配管２９は、前記第一三方弁３０の第一入口３３と接続されている。また、前記第一三方弁３０の第一出口３４は、前記排水ライン３１と接続されており、この排水ライン３１には、前記排水制御弁３２が設けられている。さらに、前記第一三方弁３０の第二出口３５は、第二配管３６と接続されており、この第二配管３６には、前記第二出口３５から流出する方向への流れを許容する第三逆止弁３７が設けられている。この第三逆止弁３７の下流側の前記第二配管３６は、水を貯留する冷水タンク３８の冷水戻り口３９と接続されている。
【００４２】
前記チラー２５は、前記冷水タンク３８内の水を循環させる第三配管４０に設けたポンプ４１を介して、前記冷水タンク３８と接続されている。前記冷水ライン２６は、冷水の流れを切替える第二三方弁４２の第二入口４３と接続されている。そして、前記第二三方弁４２の第三出口４４は、第四配管４５を介して、前記第三逆止弁３７の下流側において前記第二配管３６と合流し、前記冷水戻り口３９と接続されている。また、前記第二三方弁４２の第四出口４６は、第五配管４７を介して、前記第二逆止弁２８の下流側において前記常温水供給ライン２４と合流し、前記コイル１０の入口（符号省略）と接続されている。
【００４３】
前記制御器１４は、前記真空ポンプ７，前記品温度センサ９，前記出口温度センサ１２，前記圧力センサ１６，前記各制御弁１８，２３，２７，３２，前記チラー２５および前記両三方弁３０，４２とそれぞれ回線（符号省略）を介して接続されており、これら（前記各センサ９，１２，１６を除く）の作動をそれぞれ制御するようにプログラムされた制御部（図示省略）を備えている。そして、前記制御器１４は、前記真空冷却装置１の運転を制御する。
【００４４】
そして、前記制御器１４は、前記品温度と、前記出口温度とに基づいて、前記冷却水の排水を制御する，すなわち前記排水ライン３１へ流す流量を調節する信号を出力する前記
制御部を備えている。この制御部は、前記両温度の差を判定する機能も有している。また、前記制御器１４は、前記品温度センサ９のバックアップとして使用する前記圧力センサ１６の検出した圧力値を温度に換算する換算手段（図示省略）を備えている。
【００４５】
このような構成の前記真空冷却装置１の作用について説明する。まず、前記各被冷却物３を前記冷却槽４内に収容し、前記扉を閉めて密閉する。つぎに、前記真空ポンプ７を作動させ、前記冷却槽４内を減圧し、前記各被冷却物３を冷却する。このとき、前記熱交換器６により、前記冷却槽４からの吸引流体中の水蒸気を凝縮させ、前記吸引流体中における空気が占める割合を増加させ、前記真空ポンプ７が空気を効率よく吸引できるようにする。そして、前記各被冷却物３の温度が低下すると、前記冷却槽４内を復圧して冷却処理を終了する。
【００４６】
前記真空冷却装置の制御方法について図２〜図５に基づいて具体的に説明する。図２は、前記真空冷却装置１の運転で待機工程の冷却水の流れを説明する概略的な説明図である。図３は、冷却初期工程の冷却水の流れを説明する概略的な説明図である。図４は、冷却中期工程の冷却水の流れを説明する概略的な説明図である。図５は、冷却後期工程の冷却水の流れを説明する概略的な説明図である。
【００４７】
まず、図２に基づいて前記待機工程について説明する。この待機工程は、前記冷水タンク３８内の水を前記冷却後期工程で使用するため、あらかじめ冷却する工程である。図２において、水の流れを矢印で示している。まず、前記制御器１４は、前記第二三方弁４２の流路を前記第二入口４３と前記第三出口４４とが連通する状態に切替える。そして、前記ポンプ４１と前記チラー２５を作動させる。すると、前記冷水タンク３８内の水は、前記第三配管４０，前記冷水ライン２６，前記第四配管４５，前記第三逆止弁３７の下流側の前記第二配管３６および前記冷水戻り口３９を経由して、所定の温度となるまで循環し冷却される。この循環による前記冷水タンク３８内の水の冷却は、前記冷却後期工程開始まで継続され、所定の冷水温度を維持される。
【００４８】
つぎに、図３に基づいて前記冷却初期工程について説明する。まず、前記各被冷却物３を前記冷却槽４内に収容し運転を開始する。前記真空冷却装置１の運転開始直後においては、前記冷却槽４内の圧力は大気圧に近いので、減圧することも容易であり、前記熱交換器６の作動時における熱交換能力は小さくてよい。したがって、冷却水の温度は常温でよいので、前記制御器１４は、まず常温水を前記熱交換器６へ供給する。
【００４９】
この常温水の供給について説明する。まず、前記制御器１４は、前記排水制御弁３２を開いた状態で、前記常温水制御弁２７を開くとともに、前記第一三方弁３０の流路を前記第一入口３３と前記第一出口３４とが連通する状態に切替える。すると、常温水は、前記コイル１０内にあった冷却水を排水し、新しい常温水が替わって導入される。すなわち、このコイル１０内に新しい常温水が満たされる時間が経過すると、前記排水制御弁３２を閉じて、常温水を排水しない。
【００５０】
この状態で、前記制御器１４は、前記封水制御弁２３を開くとともに前記真空ポンプ７を作動させる。すると、前記冷却槽４内の空気と水蒸気は、前記吸引路５，前記熱交換器６，前記排出路１９を介して前記真空ポンプ７により吸引され（図２において白抜きの矢印で示しているように）、封水（この場合、常温水を利用）とともに前記真空ポンプ排出ライン２２から排出され、前記冷却槽４内は減圧される。この減圧により前記各被冷却物３は冷却される。一方、前記冷却初期工程における熱交換により、前記コイル１０内の冷却水の温度は徐々に上昇する。
【００５１】
つぎに、図４に基づいて前記冷却中期工程について説明する。前記制御器１４は、前記
出口温度センサ１２による前記熱交換器６の出口温度が所定の値を超えると、前記熱交換器６の熱交換能力が小さくなるので、前記排水制御弁３２を開き、前記コイル１０内の温度の高くなった常温水を前記排水ライン３１へ排水し、温度の低い常温水を前記コイル１０へ補給し、このコイル１０内の冷却水の温度を下げるように制御する。排水弁３２の開後、前記品温度と前記熱交換器６の出口温度との温度差が所定の値を超えると、再び前記排水弁３２を閉じる。このように、前記制御器１４は、前記品温度と前記冷却水の出口温度とに基づいて、前記排水制御弁３２を開閉することにより冷却水の排水を制御し、前記コイル１０内の冷却水の温度を所定の温度範囲内に維持する。
【００５２】
つぎに、図５に基づいて前記冷却後期工程について説明する。冷却工程が進み、前記品温度も低下してくると、常温水との温度差もなくなる。前記各被冷却物３の冷却温度をさらに低くするために、前記冷却水の温度をさらに低くする。すなわち、前記コイル１０へ供給する冷却水を常温水から冷水へ切替える。
【００５３】
前記制御器１４は、前記真空ポンプ７の作動を継続した状態で、冷却水の流路の切替えを行う。まず、前記常温水制御弁２７と、前記排水制御弁３２をともに閉じる。つぎに、前記第一三方弁３０の流路を前記第一入口３３と前記第二出口３５とが連通する状態に切替える。同時に前記第二三方弁４２の流路を前記第二入口４３と前記第四出口４６とが連通する状態に切替える。すると、冷水は、前記第三配管４０，前記冷水ライン２６，前記第五配管４７，前記コイル１０，前記第一配管２９，前記第二配管３６および前記冷水戻り口３９を経由して循環する。この場合、封水は冷水が前記第五配管４７を経由して前記封水制御弁２３へ供給される。この冷水が前記コイル１０内および前記封水ライン２１へそれぞれ導入されることにより、前記冷却槽４内は、より一層減圧されることになり、前記各被冷却物３の冷却温度を下げることができる。
【実施例２】
【００５４】
この発明は、前記実施例１に限定されるものではない。前記実施例１においては、前記熱交換器６の熱交換能力の低下の検出を前記熱交換器６の冷却水の出口温度を検出する前記出口温度検出手段１２により検出するように構成しているが、図５に示す如く、前記熱交換器６の凝縮水の出口温度を検出する出口温度検出手段１２により、前記熱交換器６の熱交換能力の低下を検出するように構成することができる。
【００５５】
この実施例２は、前記出口温度検出手段１２の取り付け位置が異なるだけで、その他の構成および制御は、前記実施例１と同様であるので、実施例１と同じ符号を付して説明を省略する。また、この実施例２の動作も前記実施例１と同様であるので、前記冷却中期の工程について説明し、それ以外の説明を省略する。
【００５６】
図６に基づいて前記冷却中期工程について説明する。前記制御器１４は、前記出口温度センサ１２による前記熱交換器６の出口温度が所定の値を超えると、前記熱交換器６の熱交換能力が小さくなるので、前記排水制御弁３２を開き、前記コイル１０内の温度の高くなった常温水を前記排水ライン３１へ排水し、温度の低い常温水を前記コイル１０へ補給し、このコイル１０内の冷却水の温度を下げるように制御する。前記排水弁３２の開後、前記品温度と前記熱交換器の出口温度との温度差が所定の値を超えると、再び前記排水弁３２を閉じる。このように、前記制御器１４は、前記品温度と前記冷却水の出口温度とに基づいて、前記排水制御弁３２を開閉することにより冷却水の排水を制御し、前記コイル１０内の冷却水の温度を所定の温度範囲内に維持する。
【００５７】
この実施例２によれば、前記実施例１と比較して、前記熱交換器６における冷却水の循環が停止している場合でも前記熱交換器６の熱交換能力の低下を素早く検出することができる効果を奏する。
【実施例３】
【００５８】
さらに、この発明は、前記実施例１および前記実施例２の変形例として、前記圧力センサ１６の検出した圧力値を温度に換算して制御する実施例を含む。
【００５９】
この実施例３においては、前記品温度センサ９が使用できない被冷却物であるとき等において、上記のように温度検出部を前記被冷却物３内へ直接差し込んで品温度を検出するのではなく、前記冷却槽４内の圧力値を前記換算手段により温度に換算し、この換算した温度を前記制御器１４へ出力するものとすることも好適である。この変形例によれば、前記被冷却物３へ前記品温度センサ９を直接差し込む作業を省略することができる。
【図面の簡単な説明】
【００６０】
【図１】この発明の一実施例の真空冷却装置を説明する概略的な説明図である。
【図２】真空冷却装置の運転で待機工程の冷却水の流れを説明する概略的な説明図である。
【図３】冷却初期工程の冷却水の流れを説明する概略的な説明図である。
【図４】冷却中期工程の冷却水の流れを説明する概略的な説明図である。
【図５】冷却後期工程の冷却水の流れを説明する概略的な説明図である。
【図６】この発明の他の実施例の真空冷却装置を説明する概略的な説明図である。
【符号の説明】
【００６１】
１  真空冷却装置
３  被冷却物
４  冷却槽
６  熱交換器
７  真空ポンプ（減圧手段）
９  品温度センサ（品温度検出手段）
１２  出口温度センサ（出口温度検出手段）
１３  排水制御手段
【図１】
2004170060.tif 000003
【図２】
2004170060.tif 000004
【図３】
2004170060.tif 000005
【図４】
2004170060.tif 000006
【図５】
2004170060.tif 000007
【図６】
2004170060.tif 000008